(57)【要約】【課題】簡単な構成により受信スロットにおける無線チャンネルの受信感度劣化の発生を、容易かつ的確に除去することを可能とする携帯電話装置を提供する。【解決手段】アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記制御手段の備えるＣＰＵの処理を実行させない制御を行う、ようにした。【選択図】      図５
2004193951.tif 000002
【特許請求の範囲】
【請求項１】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記制御手段の備えるＣＰＵの処理を実行させない制御を行う、ことを特徴とする携帯電話装置。
【請求項２】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記表示部の備えるＬＣＤへの表示データの送信を実行させない制御を行う、ことを特徴とする携帯電話装置。
【請求項３】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記撮影部の備えるカメラのデータの送受信を実行させない制御を行う、ことを特徴とする携帯電話装置。
【請求項４】
前記制御手段は、該携帯電話装置が無線チャンネルを介して受信スロットを受信中のタイミング中は、前記制御手段の備えるＣＰＵの処理を要求する割り込み信号を保持し、前記受信スロットの受信が終了した時に前記保持した割り込み要求を実行する、ことを特徴とする請求項１に記載の携帯電話装置。
【請求項５】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記ＣＰＵの処理を要求する割り込み信号を保持し、前記受信フレーム信号がＬｏｗとなった時に前記保持した割り込み要求を実行する、ことを特徴とする請求項１或いは請求項４の何れか１項に記載の携帯電話装置。
【請求項６】
前記制御手段は、第一のＰＬＬ回路と第一の電圧制御発振器とにより構成された第一のＰＬＬ発振器と、第二のＰＬＬ回路と第二の電圧制御発振器とにより構成された第二のＰＬＬ発振器と、前記第一及び第二のＰＬＬ回路に接続され該各ＰＬＬ回路の分周比の制御を行う制御回路と、該制御回路に基準ＣＬＫを供給すると共に前記第一及び第二のＰＬＬ回路にＰＬＬの比較基準周波数として用いる基準ＣＬＫを供給する基準ＣＬＫ発振器と、前記制御回路に時計の源クロックとして用いられる時計ＣＬＫを供給する時計ＣＬＫ発振器と、前記第一の電圧制御発振器と前記制御回路との間に設けられたＣＰＵと、前記第二の電圧制御発振器と前記制御回路との間に設けられたＤＳＰと、から構成されることを特徴とする請求項１或いは請求項４、請求項５の何れか１項に記載の携帯電話装置。
【請求項７】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記表示部の備えるＬＣＤへの表示データ及び表示データのデータクロックの送出を停止する、ことを特徴とする請求項２に記載の携帯電話装置。
【請求項８】
前記制御手段は、第一のＰＬＬ回路と第一の電圧制御発振器とにより構成された第一のＰＬＬ発振器と、第二のＰＬＬ回路と第二の電圧制御発振器とにより構成された第二のＰＬＬ発振器と、前記第一及び第二のＰＬＬ回路に接続され該各ＰＬＬ回路の分周比の制御を行う制御回路と、該制御回路に基準ＣＬＫを供給すると共に前記第一及び第二のＰＬＬ回路にＰＬＬの比較基準周波数として用いる基準ＣＬＫを供給する基準ＣＬＫ発振器と、前記制御回路に時計の源クロックとして用いられる時計ＣＬＫを供給する時計ＣＬＫ発振器と、前記第一の電圧制御発振器と前記制御回路との間に設けられたＣＰＵと、前記第二の電圧制御発振器と前記制御回路との間に設けられたＤＳＰと、前記制御回路に接続され、前記表示部の備えるＬＣＤへの表示データの送出及び表示データのデータクロックの送出を制御するＬＣＤコントローラと、から構成されることを特徴とする請求項２或いは請求項７の何れか１項に記載の携帯電話装置。
【請求項９】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラへの制御データ及び制御データのデータクロックの送出を停止する、ことを特徴とする請求項３に記載の携帯電話装置。
【請求項１０】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラからの映像データの受信及び映像データのデータクロックの送出を停止する、ことを特徴とする請求項３に記載の携帯電話装置。
【請求項１１】
前記制御手段は、第一のＰＬＬ回路と第一の電圧制御発振器とにより構成された第一のＰＬＬ発振器と、第二のＰＬＬ回路と第二の電圧制御発振器とにより構成された第二のＰＬＬ発振器と、前記第一及び第二のＰＬＬ回路に接続され該各ＰＬＬ回路の分周比の制御を行う制御回路と、該制御回路に基準ＣＬＫを供給すると共に前記第一及び第二のＰＬＬ回路にＰＬＬの比較基準周波数として用いる基準ＣＬＫを供給する基準ＣＬＫ発振器と、前記制御回路に時計の源クロックとして用いられる時計ＣＬＫを供給する時計ＣＬＫ発振器と、前記第一の電圧制御発振器と前記制御回路との間に設けられたＣＰＵと、前記第二の電圧制御発振器と前記制御回路との間に設けられたＤＳＰと、前記制御回路に接続され、前記撮影部の備えるカメラへの制御データと映像データの送受信及びデータクロックの送出を制御するカメラインターフェイス部と、から構成されることを特徴とする請求項３或いは請求項９、請求項１０の何れか１項に記載の携帯電話装置。
【請求項１２】
前記制御手段は、該携帯電話装置が無線チャンネルを介して受信スロットを受信中のタイミング中は、前記制御手段の備えるＣＰＵの処理を中断する、ことを特徴とする請求項１に記載の携帯電話装置。
【請求項１３】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記制御手段の備えるＣＰＵの処理を実行させない制御を行う、ことを特徴とする携帯電話装置における受信感度劣化防止方法。
【請求項１４】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記表示部の備えるＬＣＤへの表示データの送信を実行させない制御を行う、ことを特徴とする携帯電話装置における受信感度劣化防止方法。
【請求項１５】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記撮影部の備えるカメラのデータの送受信を実行させない制御を行う、ことを特徴とする携帯電話装置における受信感度劣化防止方法。
【請求項１６】
前記制御手段は、該携帯電話装置が無線チャンネルを介して受信スロットを受信中のタイミング中は、前記制御手段の備えるＣＰＵの処理を要求する割り込み信号を保持し、前記受信スロットの受信が終了した時に前記保持した割り込み要求を実行する、ことを特徴とする請求項１３に記載の携帯電話装置における受信感度劣化防止方法。
【請求項１７】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記ＣＰＵの処理を要求する割り込み信号を保持し、前記受信フレーム信号がＬｏｗとなった時に前記保持した割り込み要求を実行する、ことを特徴とする請求項１３或いは請求項１６の何れか１項に記載の携帯電話装置における受信感度劣化防止方法。
【請求項１８】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記表示部の備えるＬＣＤへの表示データ及び表示データのデータクロックの送出を停止する、ことを特徴とする請求項１４に記載の携帯電話装置における受信感度劣化防止方法。
【請求項１９】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラへの制御データ及び制御データのデータクロックの送出を停止する、ことを特徴とする請求項１５に記載の携帯電話装置における受信感度劣化防止方法。
【請求項２０】
該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラからの映像データの受信及び映像データのデータクロックの送出を停止する、ことを特徴とする請求項１５に記載の携帯電話装置における受信感度劣化防止方法。
【請求項２１】
前記制御手段は、該携帯電話装置が無線チャンネルを介して受信スロットを受信中のタイミング中は、前記制御手段の備えるＣＰＵの処理を中断する、ことを特徴とする請求項１３に記載の携帯電話装置における受信感度劣化防止方法。
【請求項２２】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置のコンピュータに、該携帯電話装置が無線チャンネルを介して受信スロットを受信中のタイミングでは前記表示部の備えるＬＣＤへの表示データの送信を実行させない制御を行わせる、ためのプログラム。
【請求項２３】
アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置のコンピュータに、該携帯電話装置が無線チャンネルを介して受信スロットを受信中のタイミングでは前記撮影部の備えるカメラのデータの送受信を実行させない制御を行わせる、ためのプログラム。
【発明の詳細な説明】
【０００１】
【発明の属する技術分野】
本発明は、携帯電話装置および携帯電話装置における受信感度劣化防止方法並びにプログラムに関し、特に、携帯電話装置の無線チャンネルの受信感度の劣化防止を図ることを可能とする、携帯電話装置および携帯電話装置における受信感度劣化防止方法並びにプログラムに関する。
【０００２】
【従来の技術】
図１２に示すような携帯電話装置では、各種のクロック周波数が用いられており、そのクロック周波数の整数倍が、携帯電話装置の受信周波数に一致すると、その受信周波数を用いた無線チャンネルでは、受信感度劣化が発生する。
【０００３】
又、上記携帯電話装置の備える各種データバスにおけるデータ送受信時においても、送受信データの周波数成分の整数倍が、携帯電話装置の受信周波数に一致すると、受信感度劣化が発生する。
【０００４】
図１４は、データバスの同期クロックに１０ＭＨｚを用いた場合の全受信チャンネルの受信感度を測定した結果を示すものである。
【０００５】
図１４に示すように、１０ＭＨｚの８１倍・８２倍・８３倍の周波数で受信感度の著しい劣化が見られる。
【０００６】
図１３に示すように、特に上下の筐体の接続部のフレキシブルプリント板から、輻射し、アンテナで受信される場合が顕著である。なお、図１３に示した開閉型携帯電話装置にはカメラが取り付けられているものとするが、カメラは任意の位置に取り付け可能であるため、あえて図示を省略している。
【０００７】
図１は、一般的な携帯電話装置のブロック図である。この内の制御部１０５についての詳細が図７に示されている。
【０００８】
図７において、基準ＣＬＫ発振器１０５１で１４．４ＭＨｚの周波数信号が発振され、この周波数信号はＰＬＬ回路１０５３にて、４分周されて、３．６ＭＨｚとして、比較基準周波数とされている。
【０００９】
電圧制御発振器１０５５の発振周波数を１４分周して、位相比較によりＰＬＬ制御を行って、５０．４ＭＨｚをＣＰＵクロックに用いている。
【００１０】
基準ＣＬＫ発振器１０５１で１４．４ＭＨｚの周波数信号を発振し、ＰＬＬ回路１０５４にて、４分周して、３．６ＭＨｚとして、比較基準周波数としている。
【００１１】
電圧制御発振器１０５６の発振周波数を１０分周して、位相比較によりＰＬＬ制御を行って、３６ＭＨｚをＤＳＰクロックに用いている。
【００１２】
なお、制御回路１０５９−１は、外部ＩＯにより外部回路と接続され、各種の制御を行うものである。
【００１３】
また図８は、表示部１１０の詳細図である。
【００１４】
図８において、ＣＰＵクロック１２０１を受け取ったＬＣＤコントローラ１１０１−１は、ＣＰＵクロック１２０１を５分周してデータクロックに用いる。周波数は、１０．０８ＭＨｚとなる。
【００１５】
撮影部１１４を付加した場合の撮影部１１４の詳細図が図９である。
【００１６】
図９において、ＣＰＵクロック１２１１を受け取ったカメラインターフェイス部１１４１−１は、ＣＰＵクロック１２１１を６分周してデータクロックに用いる。周波数は、８．４ＭＨｚとなる。
【００１７】
本発明とほぼ同様の目的を有する他の従来例として、ＬＣＤを備える無線携帯端末において、無線データ受信期間と液晶交流化信号の出力時期が重なる場合には、無線データ受信期間が終了するまで液晶交流化信号、水平走査信号、及びフレーム信号の出力を遅延させることにより、無線データ受信期間に液晶の角度の反転によるノイズの発生が起こらず、受信感度の劣化を防止する、という技術を開示しているものがある（例えば、特許文献１参照。）。
【００１８】
【特許文献１】
特開２０００−１８４４１８号公報（第３−４頁、図１、図５）
【００１９】
【発明が解決しようとする課題】
しかしながら、上述したような周波数構成とすると、比較基準周波数の３．６ＭＨｚの整数倍、表示部のデータクロック周波数の１０．０８ＭＨｚの整数倍、撮影部のデータクロック周波数の８．４ＭＨｚの整数倍、に該当する受信周波数で、受信感度劣化を引き起こす不具合が発生する。
【００２０】
また、制御部１０５で使用されている、ＣＰＵとメモリ間のデータバス・ＬＣＤデータバス・カメラデータバスにて、データの送受信が行われた場合にも、前述の理由にて受信感度劣化を起こす不具合が発生する。
【００２１】
更に、前記特許文献１の公報に開示された従来例は、構造及び作用が複雑化する不具合があった。
【００２２】
次に図１０、図１１を参照して、携帯電話システムにおいて用いられている、時分割多重接続方式（ＴＤＭＡ）における、時間軸上での不具合の発生状況について詳細に説明する。
【００２３】
制御部１０５におけるＣＰＵ処理は、処理が発生する毎に逐次実行されている。ＣＰＵは、割り込みにより一つの処理が発生すると、動作を開始し、終了すると、動作を停止する。ＣＰＵ動作中は、データバス上でデータの送受信が行われるために受信感度劣化を引き起こすこととなる。
【００２４】
図１０において、
（１）受信データのＣＰＵ処理は、デジタルベースバンド部より受信スロットの受信完了時に受信完了割り込みが発生し（図１０（ハ））、Ａ１の処理、及び、Ａ３の処理を行う（図１０（ホ））。この場合は、処理タイミングが、受信スロットから外れているため、受信感度劣化は起こらない。
（２）送信データのＣＰＵ処理は、デジタルベースバンド部より送信スロットの送信完了時に送信完了割り込みが発生し（図１０（ニ））、Ａ２の処理を行う（図１０（ホ））。この場合は、処理タイミングが、受信スロットから外れているため、受信感度劣化は起こらない。
（３）キー操作等による、マンマシンインターフェースなどのＣＰＵ処理は、他の割り込み信号の発生により（図１０（ヘ））、Ｂ１の処理と、Ｂ２の処理と、Ｂ３の処理を行う（図１０（ト））。この場合には、処理タイミングが、通信のＴＤＭＡタイミングと非同期にランダムに発生するため、Ｂ２のＣＰＵ処理は、受信スロットを外れているため、受信感度劣化は起こらないが、Ｂ１とＢ３の処理は、受信スロット中に行われるため、Ｂ１とＢ３のＣＰＵ処理時のデーターバス上でのデータの送受信により、受信感度劣化が発生する。
【００２５】
図１１を参照して、表示部のＬＣＤと撮影部のカメラについて説明する。
【００２６】
図１１に示すように、カメラ制御信号・カメラ制御ＣＬＫ（図１１（ロ）（ハ））とカメラデータ信号・カメラデータＣＬＫ（図１１（ニ）（ホ））、及びＬＣＤ制御信号・ＬＣＤ制御ＣＬＫ（図１１（ヘ）（ト））は、そのタイミングが、通信のＴＤＭＡタイミングと非同期にランダムに発生するため、受信スロット中に発生した場合には、受信感度劣化が発生する。
【００２７】
本発明は、上述した従来の技術の有する不具合を解消するために成されたものであり、従って本発明の目的は、簡単な構成により受信スロットにおける無線チャンネルの受信感度劣化の発生を、容易かつ的確に除去することを可能とする、携帯電話装置および携帯電話装置における受信感度劣化防止方法並びにプログラム、を提供することにある。
【００２８】
【課題を解決するための手段】
本発明の携帯電話装置は、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記制御手段の備えるＣＰＵの処理を実行させない制御を行う、ことを特徴とする。
【００２９】
また、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記表示部の備えるＬＣＤへの表示データの送信を実行させない制御を行う、ことを特徴とする。
【００３０】
さらに、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記撮影部の備えるカメラのデータの送受信を実行させない制御を行う、ことを特徴とする。
【００３１】
また、前記制御手段は、該携帯電話装置が無線チャンネルを介して受信スロットを受信中のタイミング中は、前記制御手段の備えるＣＰＵの処理を要求する割り込み信号を保持し、前記受信スロットの受信が終了した時に前記保持した割り込み要求を実行する、ことを特徴とする。
【００３２】
さらに、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記ＣＰＵの処理を要求する割り込み信号を保持し、前記受信フレーム信号がＬｏｗとなった時に前記保持した割り込み要求を実行する、ことを特徴とする。
【００３３】
また、前記制御手段は、第一のＰＬＬ回路と第一の電圧制御発振器とにより構成された第一のＰＬＬ発振器と、第二のＰＬＬ回路と第二の電圧制御発振器とにより構成された第二のＰＬＬ発振器と、前記第一及び第二のＰＬＬ回路に接続され該各ＰＬＬ回路の分周比の制御を行う制御回路と、該制御回路に基準ＣＬＫを供給すると共に前記第一及び第二のＰＬＬ回路にＰＬＬの比較基準周波数として用いる基準ＣＬＫを供給する基準ＣＬＫ発振器と、前記制御回路に時計の源クロックとして用いられる時計ＣＬＫを供給する時計ＣＬＫ発振器と、前記第一の電圧制御発振器と前記制御回路との間に設けられたＣＰＵと、前記第二の電圧制御発振器と前記制御回路との間に設けられたＤＳＰと、から構成されることを特徴とする。
【００３４】
さらに、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記表示部の備えるＬＣＤへの表示データ及び表示データのデータクロックの送出を停止する、ことを特徴とする。
【００３５】
また、前記制御手段は、第一のＰＬＬ回路と第一の電圧制御発振器とにより構成された第一のＰＬＬ発振器と、第二のＰＬＬ回路と第二の電圧制御発振器とにより構成された第二のＰＬＬ発振器と、前記第一及び第二のＰＬＬ回路に接続され該各ＰＬＬ回路の分周比の制御を行う制御回路と、該制御回路に基準ＣＬＫを供給すると共に前記第一及び第二のＰＬＬ回路にＰＬＬの比較基準周波数として用いる基準ＣＬＫを供給する基準ＣＬＫ発振器と、前記制御回路に時計の源クロックとして用いられる時計ＣＬＫを供給する時計ＣＬＫ発振器と、前記第一の電圧制御発振器と前記制御回路との間に設けられたＣＰＵと、前記第二の電圧制御発振器と前記制御回路との間に設けられたＤＳＰと、前記制御回路に接続され、前記表示部の備えるＬＣＤへの表示データの送出及び表示データのデータクロックの送出を制御するＬＣＤコントローラと、から構成されることを特徴とする。
【００３６】
さらに、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラへの制御データ及び制御データのデータクロックの送出を停止する、ことを特徴とする。
【００３７】
また、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラからの映像データの受信及び映像データのデータクロックの送出を停止する、ことを特徴とする。
【００３８】
さらに、前記制御手段は、第一のＰＬＬ回路と第一の電圧制御発振器とにより構成された第一のＰＬＬ発振器と、第二のＰＬＬ回路と第二の電圧制御発振器とにより構成された第二のＰＬＬ発振器と、前記第一及び第二のＰＬＬ回路に接続され該各ＰＬＬ回路の分周比の制御を行う制御回路と、該制御回路に基準ＣＬＫを供給すると共に前記第一及び第二のＰＬＬ回路にＰＬＬの比較基準周波数として用いる基準ＣＬＫを供給する基準ＣＬＫ発振器と、前記制御回路に時計の源クロックとして用いられる時計ＣＬＫを供給する時計ＣＬＫ発振器と、前記第一の電圧制御発振器と前記制御回路との間に設けられたＣＰＵと、前記第二の電圧制御発振器と前記制御回路との間に設けられたＤＳＰと、前記制御回路に接続され、前記撮影部の備えるカメラへの制御データと映像データの送受信及びデータクロックの送出を制御するカメラインターフェイス部と、から構成されることを特徴とする。
【００３９】
また、前記制御手段は、該携帯電話装置が無線チャンネルを介して受信スロットを受信中のタイミング中は、前記制御手段の備えるＣＰＵの処理を中断する、ことを特徴とする。
【００４０】
本発明の携帯電話装置における受信感度劣化防止方法は、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記制御手段の備えるＣＰＵの処理を実行させない制御を行う、ことを特徴とする。
【００４１】
また、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記表示部の備えるＬＣＤへの表示データの送信を実行させない制御を行う、ことを特徴とする。
【００４２】
さらに、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置において、前記制御手段は、該携帯電話装置が無線チャンネルを介して受信スロットを受信中のタイミングでは前記撮影部の備えるカメラのデータの送受信を実行させない制御を行う、ことを特徴とする。
【００４３】
また、前記制御手段は、該携帯電話装置が無線チャンネルを介して受信スロットを受信中のタイミング中は、前記制御手段の備えるＣＰＵの処理を要求する割り込み信号を保持し、前記受信スロットの受信が終了した時に前記保持した割り込み要求を実行する、ことを特徴とする。
【００４４】
さらに、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記ＣＰＵの処理を要求する割り込み信号を保持し、前記受信フレーム信号がＬｏｗとなった時に前記保持した割り込み要求を実行する、ことを特徴とする。
【００４５】
また、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記表示部の備えるＬＣＤへの表示データ及び表示データのデータクロックの送出を停止する、ことを特徴とする。
【００４６】
さらに、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラへの制御データ及び制御データのデータクロックの送出を停止する、ことを特徴とする。
【００４７】
また、該携帯電話装置が無線チャンネルを介して受信スロットを受信中のタイミング中は、前記デジタルベースバンド部が受信フレーム信号をＨｉｇｈとして送出し、前記受信フレーム信号を受信する前記制御手段は、前記デジタルベースバンド部から送出される受信フレーム信号のＨｉｇｈ区間に前記撮影部の備えるカメラからの映像データの受信及び映像データのデータクロックの送出を停止する、ことを特徴とする。
【００４８】
さらに、前記制御手段は、該携帯電話装置が無線チャンネルを介して受信スロットを受信中のタイミング中は、前記制御手段の備えるＣＰＵの処理を中断する、ことを特徴とする。
【００４９】
本発明のプログラムは、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置のコンピュータに、該携帯電話装置が無線チャンネルを介して受信スロットを受信中のタイミングでは前記表示部の備えるＬＣＤへの表示データの送信を実行させない制御を行わせる。
【００５０】
また、アンテナを有する無線部と、該無線部の出力が接続されたアナログベースバンド部と、該アナログベースバンド部に接続されたデジタルベースバンド部と、キー操作を行うキー操作部と、画像情報を表示する表示部と、カメラによる撮影を行う撮影部と、前記各部を制御する制御手段とを備えた携帯電話装置のコンピュータに、該携帯電話装置が無線チャンネルを介して受信スロットを受信中のタイミングでは前記撮影部の備えるカメラのデータの送受信を実行させない制御を行わせる。
【００５１】
【発明の実施の形態】
次に、本発明の実施の形態について図面を参照して説明する。
【００５２】
図１は、本発明の携帯電話装置の一実施形態を示すブロック図である。
【００５３】
図１に示す本実施の形態は、図１２に示すような携帯電話装置における一実施形態を示すものであり、図１においては、アンテナ１０１が、無線部１０２に接続され、無線部１０２の出力がアナログベースバンド部１０３に接続され、アナログベースバンド部１０３は、マイクロホン１１１とスピーカ１１２とレシーバ１１３とデジタルベースバンド部１０４に接続されている。
【００５４】
電池１０７は、電源部１０６に接続され、この電源は、電源部１０６より、無線部１０２とアナログベースバンド部１０３とデジタルベースバンド部１０４と制御部１０５とキー操作部１０９と表示部１１０と撮影部１１４にそれぞれ供給されている。
【００５５】
制御部１０５は、無線部１０２とアナログベースバンド部１０３とデジタルベースバンド部１０４とキー操作部１０９と電源部１０６に接続され、それぞれの制御を行う。
【００５６】
また、制御部１０５は、接続フレキシブルプリント板で構成されるバス１２０とバス１２１に接続され、更に表示部１１０と撮影部１１４に接続されている。
【００５７】
以上は、従来の携帯電話装置においても同様である。
【００５８】
次に、制御部１０５の構成について、図２を用いて詳細に説明する。
【００５９】
図２は、図１に示された制御部１０５の一例を示す詳細ブロック図である。
【００６０】
図２において、基準ＣＬＫ（ＣＬＯＣＫ：クロック）発振器１０５１は、制御回路１０５９に接続され、制御回路１０５９に基準ＣＬＫを供給する。
【００６１】
また、基準クロック発振器１０５１から出力される基準ＣＬＫは、第一のＰＬＬ（Ｐｈａｓｅ  Ｌｏｃｋｅｄ  Ｌｏｏｐ：位相同期ループ）回路１０５３と第二のＰＬＬ回路１０５４に供給され、ＰＬＬ回路１０５３、１０５４の比較基準周波数に用いられる。
【００６２】
時計ＣＬＫ発振器１０５２は、制御回路１０５９に接続され、その出力された時計ＣＬＫは時計の源クロックとして用いられると共に、各種タイマのクロックにも用いられる。
【００６３】
第一のＰＬＬ回路１０５３は、電圧制御発振器１０５５に接続され、第一のＰＬＬ発振器を構成する。
【００６４】
電圧制御発振器１０５５の出力は、ＣＰＵ（Ｃｅｎｔｒａｌ  Ｐｒｏｃｅｓｓｉｎｇ  Ｕｎｉｔ：中央処理装置）１０５７に接続され、ＣＰＵ１０５７にＣＰＵクロックを供給する。
【００６５】
ＣＰＵ１０５７は、制御回路１０５９にバス接続され、各種の制御を、図示しないメモリに格納されるプログラムに従って行う。
【００６６】
制御回路１０５９は、第一のＰＬＬ回路１０５３に接続され、分周比の制御を行う。
【００６７】
第二のＰＬＬ回路１０５４は、電圧制御発振器１０５６に接続され、第二のＰＬＬ発振器を構成する。
【００６８】
電圧制御発振器１０５６の出力は、ＤＳＰ（Ｄｉｇｉｔａｌ  Ｓｉｇｎａｌ  Ｐｒｏｃｅｓｓｏｒ：デジタル信号処理装置）１０５８に接続され、ＤＳＰ１０５８にＤＳＰクロックを供給する。
【００６９】
１０５５、１０５６の発振器は、電圧制御発振器で構成してもよいし、電流制御発振器によって構成されても同様な動作が可能である。
【００７０】
ＤＳＰ１０５８は、制御回路１０５９にバス接続され、符号化復号化処理などのデジタル信号計算処理を行う。
【００７１】
制御回路１０５９は、第二のＰＬＬ回路１０５４に接続され、分周比の制御を行う。
【００７２】
制御回路１０５９は、外部ＩＯにより、外部回路と接続され、各種の制御を行う。
【００７３】
次に、図３を用いて、ＬＣＤ（Ｌｉｑｕｉｄ  Ｃｒｙｓｔａｌ  Ｄｉｓｐｌａｙ：液晶表示）制御について更に詳細に説明する。
【００７４】
図３は、本発明が適用される携帯電話装置の表示部の一例を示す詳細ブロック図である。
【００７５】
図３において、制御部１０５は、バス１２０で表示部１１０と接続されている。
【００７６】
バス１２０の詳細について説明すると、制御部１０５は、内部で生成したＣＰＵクロックを接続線１２０１を通して、ＬＣＤコントローラ１１０１に供給し、また、デジタルベースバンド部１０４にて生成された受信フレーム信号を接続線１２０３を通して、ＬＣＤコントローラ１１０１に供給し、更に、データバス１２０２により、ＬＣＤコントローラ１１０１と接続されており、各種制御を行う。
【００７７】
ＬＣＤコントローラ１１０１は、ＣＰＵクロックを分周して、データクロックを作成する。ＬＣＤコントローラ１１０１は、データクロック線１１０５を介してデータクロックをＬＣＤドライバ１１０２に供給する。
【００７８】
また、ＬＣＤコントローラ１１０１は、データバス１１０６により、ＬＣＤドライバ１１０２に接続されており、画像情報を伝達する。
【００７９】
ＬＣＤドライバ１１０２は、バス１１０４により、ＬＣＤガラス１１０３に接続され、ＬＣＤのセルのドライブを行う。
【００８０】
次に、図４を用いて、カメラ制御について更に詳細に説明する。
【００８１】
図４は、本発明が適用される携帯電話装置の撮影部の一例を示す詳細ブロック図である。
【００８２】
図４において、撮影部１１４は、カメラ１１４３とカメラ制御部１１４２とカメラインターフェイス部１１４１から構成されている。
【００８３】
制御部１０５は、バス１２１で撮影部１１４に接続されている。
【００８４】
バス１２１の詳細について説明すると、制御部１０５は、内部で生成したＣＰＵクロックを接続線１２１１を通して、カメラインターフェイス部１１４１に供給し、また、デジタルベースバンド部１０４にて生成された受信フレーム信号を接続線１２１３を通して、カメラインターフェイス部１１４１に供給し、更に、データバス１２１２により、カメラインターフェイス部１１４１と接続されており、各種制御を行う。
【００８５】
カメラインターフェイス部１１４１は、ＣＰＵクロックを分周して、データクロックを作成する。カメラインターフェイス部１１４１は、データクロック線１１４５を介してデータクロックをカメラ制御部１１４２に供給する。
【００８６】
また、カメラインターフェイス部１１４１は、データバス１１４６により、カメラ制御部１１４２に接続されており、制御情報を伝達する。
【００８７】
カメラ制御部１１４２は、カメラ１１４３とバス１１４４で接続され、カメラ１１４３の制御を行う。
【００８８】
カメラ制御部１１４２は、また、カメラ１１４３の撮影したデータのデータ処理を行う。カメラ制御部１１４２は、処理を行った画像データをデータバス１１４６を介して、カメラインターフェイス部１１４１に伝達する。その際に、データクロック線１１４５より受け取ったデータクロックを２分周したデータクロックをデータクロック線１１４７を通じて、カメラインターフェイス部１１４１に送出する。
【００８９】
次に、本実施形態の動作について詳細に説明する。
【００９０】
先ず、図２を再度参照して、制御部１０５の詳細動作を説明する。
【００９１】
基準ＣＬＫ発振器１０５１で１４．４ＭＨｚの周波数信号が発振され、この周波数信号はＰＬＬ回路１０５３にて、４分周されて、３．６ＭＨｚとして、比較基準周波数とされている。
【００９２】
電圧制御発振器１０５５の発振周波数を１４分周して、位相比較によりＰＬＬ制御を行って、５０．４ＭＨｚをＣＰＵクロックに用いている。
【００９３】
基準ＣＬＫ発振器１０５１で１４．４ＭＨｚの周波数信号を発振し、ＰＬＬ回路１０５４にて、４分周して、３．６ＭＨｚとして、比較基準周波数としている。
【００９４】
電圧制御発振器１０５６の発振周波数を１０分周して、位相比較によりＰＬＬ制御を行って、３６ＭＨｚをＤＳＰクロックに用いている。
【００９５】
なお、制御回路１０５９は、外部ＩＯにより外部回路と接続され、各種の制御を行うものである。
【００９６】
次に、図１に示したデジタルベースバンド部１０４及び制御部１０５の連携動作につき、本発明に関する部分について、図５を参照して詳細に説明する。
【００９７】
図５は、本発明が適用される携帯電話装置の送受信時のＣＰＵ処理動作を説明するタイミングチャートである。
【００９８】
ＰＤＣ（Ｐｅｒｓｏｎａｌ  Ｄｉｇｉｔａｌ  Ｃｅｌｌｕｌａｒ：パーソナル・ディジタル・セルラー）方式（社団法人電波産業会（ＡＲＩＢ）の標準規格であるＡＲＩＢ  ＳＴＤ−２７＊  参照）に代表されるような、ＴＤＭＡ（Ｔｉｍｅ  Ｄｉｖｉｓｉｏｎ  Ｍｕｌｔｉｐｌｅ  Ａｃｃｅｓｓ：時分割多重接続）方式のデジタル携帯電話方式においては、時分割の受信データのあらかじめ決められたデータビット位置に、あらかじめデータ列の決められたシンクワード（ＳＷ）が、挿入されている（図５（イ）の受信スロット中のＳＷ）。
【００９９】
デジタルベースバンド部１０４は、パターンマッチにより、このＳＷを検出して、フレーム同期を行い、受信フレーム信号を発生する（図５（ロ）の受信スロット時）。デジタルベースバンド部１０４が発生した受信フレーム信号は、制御部１０５に信号バスを介して渡される。
【０１００】
制御部１０５は、キー操作部１０９からのキー操作等の操作系インターフェイスなどの割り込み信号を受け付けると（図５（ヘ））、受信フレーム信号（図５（ロ））を監視し、受信フレーム信号がＬｏｗの場合には、ＣＰＵ１０５７に対し割り込みを発生する（図５（ヘ）の（２））。
【０１０１】
受信フレーム信号がＨｉｇｈの場合には、割り込みを保持し（図５（ヘ）の（１）、（３））、受信フレーム信号がＬｏｗと成った時にＣＰＵ１０５７に対して割り込みを発生する（図５（ト）の（１）、（３））。
【０１０２】
ＣＰＵ１０５７は、割り込みが重なった場合には、優先順位の高い割り込みの順に処理を実行する。
【０１０３】
更に具体的に説明すると、図５において、受信スロット中に発生したＢ１処理の他の割り込み信号（図５（ヘ）の（１））に対して、受信フレーム信号がＬｏｗとなるのを待って、遅延処理後の他の割り込み信号を発生させる（図５（ト）の（１））。この時にＣＰＵ１０５７は、受信完了割り込み（図５（ハ））と他の割り込み（図５（ト）の（１））が重複するので、優先順位の高いＡ１の処理をまず実行し（図５（ホ）のＡ１）、その後でＢ１の処理を実行する（図５（チ）のＢ１）。
【０１０４】
次に、Ｂ２の処理の他の割り込み信号（図５（ヘ）の（２））に対しては、受信フレーム信号がＬｏｗであるので、そのまま割り込みを発生させる（図５（ト）の（２））。ＣＰＵ１０５７は、即時にＢ２の処理を実行する（図５（チ）のＢ２）。
【０１０５】
更に制御部１０５は、受信フレーム信号のＨｉｇｈ区間では、外部へのＣＰＵクロックを停止するよう動作する。
【０１０６】
なお、図５（イ）における「ＬＭ」は、「Ｌｅｖｅｌ  Ｍｅａｓｕｒｅｍｅｎｔ（レベル計測）スロット」の略である。
【０１０７】
次に、図３を再度参照して、表示部１１０の動作の詳細について説明する。
【０１０８】
図３において、ＬＣＤコントローラ１１０１は、接続線１２０１を介して、制御部１０５からＣＰＵクロックを受け取る。ＬＣＤコントローラ１１０１は、ＣＰＵクロックを５分周してデータクロックを生成し、データクロック線１１０５よりＬＣＤドライバ１１０２に供給し、更にバス１１０６より、データを出力して、同期型データバスを形成する。
【０１０９】
ＬＣＤコントローラ１１０１は、接続線１２０３を介して、制御部１０５から、受信フレーム信号を受け取る。ＬＣＤコントローラ１１０１は、受信フレーム信号を監視し、受信フレーム信号がＨｉｇｈの区間では、ＬＣＤドライバ１１０２へのデータクロック１１０５とデータバス１１０６へのデータ送出を停止する。
【０１１０】
次に、図４を再度参照して、撮影部１１４の動作の詳細について説明する。
【０１１１】
図４において、制御部１０５はＣＰＵクロックを、接続線１２１１を介してカメラインターフェイス部１１４１に供給する。カメラインターフェイス部１１４１は、このＣＰＵクロックの周波数を６分周してデータクロックを生成し、データクロック線１１４５よりカメラ制御部１１４２に供給し、更にバス１１４６より、データを出力して、同期型データバスを形成する。
【０１１２】
カメラインターフェイス部１１４１は、接続線１２１３を介して、制御部１０５から、受信フレーム信号を受け取る。カメラインターフェイス部１１４１は、受信フレーム信号を監視し、受信フレーム信号がＨｉｇｈの区間では、カメラ制御部１１４２へのデータクロック（データクロック線１１４５）とデータバス１１４６へのデータ送出を停止する。
【０１１３】
カメラ制御部１１４２は、カメラ１１４３から取り込んだ画像データを処理し、カメラインターフェイス部１１４１に送出する。カメラ制御部１１４２は、カメラインターフェイス部１１４１より供給されるデータクロック１１４５を２分周して、データクロックを生成し、データクロック線１１４７より、カメラインターフェイス部１１４１に供給し、更にバス１１４６よりデータを出力して、同期型データバスを形成する。
【０１１４】
カメラ制御部１１４２は、データクロック停止期間中は、画像データの送出を停止する。
【０１１５】
次に、図６を参照して、上述した表示部１１０及び撮影部１１４の動作について具体的に説明する。
【０１１６】
図６は、本発明が適用される携帯電話装置の送受信時のＬＣＤ制御動作及びカメラ制御動作を説明するタイミングチャートである。
【０１１７】
図６において、受信フレーム信号がＬｏｗと成った時点より（図６（ロ）の（２）、カメラ制御信号（図６（ハ））とカメラ制御ＣＬＫ（図６（ニ））を送出し、次に受信フレーム信号がＨｉｇｈとなる区間は（図６（ロ）の（３））、出力を停止し、再び受信フレーム信号がＬｏｗと成った時点より（図６（ロ）の（４））、継続データを送出する。
【０１１８】
また、カメラデータ信号（図６（ホ））とカメラデータＣＬＫ（図６（ヘ））を送出し、次に受信フレーム信号がＨｉｇｈとなる区間は（図６（ロ）の（５））、出力を停止し、再び受信フレーム信号がＬｏｗと成った時点より（図６（ロ）の（６））、継続データを送出する。
【０１１９】
さらに、ＬＣＤ制御信号（図６（ト））とＬＣＤ制御ＣＬＫ（図６（チ））を送出し、次に受信フレーム信号がＨｉｇｈとなる区間は（図６（ロ）の（３）或いは（７））、出力を停止し、再び受信フレーム信号がＬｏｗと成った時点より（図６（ロ）の（４）或いは（８））、継続データを送出する。
【０１２０】
以上、本実施形態の動作について詳細に説明した。
【０１２１】
本実施形態の携帯電話装置においては、受信感度劣化が無く良好な受信が可能となるという効果を有している。その理由は、
（１）受信フレーム区間にＣＰＵが停止し、ＣＰＵ・メモリのバスデータによる影響が無くなるからである。
（２）受信フレーム区間にＬＣＤ制御データが停止し、データバスによる影響が無くなるからである。
（３）受信フレーム区間にカメラ制御データが停止し、データバスによる影響が無くなるからである。
（４）受信フレーム区間にカメラ画像データが停止し、データバスによる影響が無くなるからである。
【０１２２】
従って、ＣＰＵ・メモリのバスデータ、ＬＣＤのバスデータ、カメラのバスデータによる受信感度劣化防止のための、バスＬＣフィルタデバイスやシールド部品を削減することが可能となり、携帯電話装置の小型・軽量化・コスト低減が可能となるという更なる効果を有している。
【０１２３】
なお、上述した本実施形態に加え、制御部１０５が受信フレーム信号を監視し、受信フレーム信号がＨｉｇｈと成った場合には、ＣＰＵの処理を中断し、受信フレーム信号が再びＬｏｗと成った場合に、ＣＰＵの処理を再開するように制御することにより、一層確実に受信フレーム区間での受信感度劣化を防止することが出来る。
【０１２４】
また、制御部１０５が備えているＣＰＵの他に、例えば、ベースバンド処理用ＣＰＵ、或いは、表示部制御用ＣＰＵ、撮影部制御用ＣＰＵなどの他のＣＰＵを備える携帯電話装置であっても、制御部１０５が上述の制御を行うことで、同等の効果を発揮するものであることは言うまでも無い。
【０１２５】
【発明の効果】
以上説明したように、本発明の携帯電話装置および携帯電話装置における受信感度劣化防止方法並びにプログラムは、受信フレーム区間において、ＣＰＵ、ＬＣＤ制御データ、カメラ制御データ、カメラ画像データが停止するので、簡単な構成により受信スロットにおける無線チャンネルの受信感度劣化の発生を、容易かつ的確に除去することが可能となるという効果を有している。
【図面の簡単な説明】
【図１】本発明による一実施形態を示し、本発明が適用される一般的な携帯電話装置のブロック構成図である。
【図２】本発明による一実施形態を示し、本発明が適用される携帯電話装置の制御部の一例を示す詳細ブロック図である。
【図３】本発明が適用される携帯電話装置の表示部の一例を示す詳細ブロック図である。
【図４】本発明が適用される携帯電話装置の撮影部の一例を示す詳細ブロック図である。
【図５】本発明が適用される携帯電話装置の送受信時のＣＰＵ処理動作を説明するタイミングチャートである。
【図６】本発明が適用される携帯電話装置の送受信時のＬＣＤ制御動作及びカメラ制御動作を説明するタイミングチャートである。
【図７】一般的な携帯電話装置の制御部の一例を示す詳細ブロック図である。
【図８】一般的な携帯電話装置の表示部の一例を示す詳細ブロック図である。
【図９】一般的な携帯電話装置の撮影部の一例を示す詳細ブロック図である。
【図１０】一般的な携帯電話装置の送受信時のＣＰＵ処理動作を説明するタイミングチャートである。
【図１１】一般的な携帯電話装置の送受信時のＬＣＤ制御動作及びカメラ制御動作を説明するタイミングチャートである。
【図１２】本発明が適用される開閉型携帯電話装置の開状態における外観を示す正面図である。
【図１３】（ａ）は図１２に示された開閉型携帯電話装置の閉状態の概略側面図、（ｂ）は開状態の概略側面図である。
【図１４】全受信チャンネルの受信感度を示す特性曲線図である。
【符号の説明】
１０１    アンテナ
１０２    無線部
１０３    アナログベースバンド部
１０４    デジタルベースバンド部
１０５    制御部
１０６    電源部
１０７    電池
１０９    キー操作部
１１０    表示部
１１１    マイクロホン
１１２    スピーカ
１１３    レシーバ
１１４    撮影部
１２０    バス
１２１    バス
１０５１    基準ＣＬＫ発振器
１０５２    時計ＣＬＫ発振器
１０５３    ＰＬＬ回路
１０５４    ＰＬＬ回路
１０５５    電圧制御発振器
１０５６    電圧制御発振器
１０５７    ＣＰＵ
１０５８    ＤＳＰ
１０５９    制御回路
１０５９−１    制御回路
１１０１    ＬＣＤコントローラ
１１０１−１    ＬＣＤコントローラ
１１０２    ＬＣＤドライバ
１１０３    ＬＣＤガラス
１１０４    バス
１１０５    データクロック線
１１０６    データバス
１１４１    カメラインターフェイス部
１１４１−１    カメラインターフェイス部
１１４２    カメラ制御部
１１４３    カメラ
１１４４    バス
１１４５    データクロック線
１１４６    データバス
１１４７    データクロック線
１２０１    接続線
１２０２    データバス
１２０３    接続線
１２１１    接続線
１２１２    データバス
１２１３    接続線
【図１】
2004193951.tif 000003
【図２】
2004193951.tif 000004
【図３】
2004193951.tif 000005
【図４】
2004193951.tif 000006
【図５】
2004193951.tif 000007
【図６】
2004193951.tif 000008
【図７】
2004193951.tif 000009
【図８】
2004193951.tif 000010
【図９】
2004193951.tif 000011
【図１０】
2004193951.tif 000012
【図１１】
2004193951.tif 000013
【図１２】
2004193951.tif 000014
【図１３】
2004193951.tif 000015
【図１４】
2004193951.tif 000016